(57)【要約】【課題】着色剤として着色粒子を用いたインクジェット記録用インクにおいて、印字物に滲みを生じさせず、かつ吐出安定性と保存安定性を向上させる。【解決手段】水、水溶性有機溶媒及び着色粒子を含有するインクジェット記録用インクであって、着色粒子の体積平均径が１〜５μｍであり、着色粒子中、体積平均径の１．５倍以上の粒径の粒子が５vol％以下である。【選択図】なし【特許請求の範囲】
【請求項１】
水、水溶性有機溶媒及び着色粒子を含有するインクジェット記録用インクであって、着色粒子の体積平均径が１〜５μｍであり、
着色粒子中、体積平均径の１．５倍以上の粒径の粒子が５vol％以下であるインクジェット記録用インク。
【請求項２】
インクジェット記録用インクを静置（２５℃）した場合の着色粒子の、次のストークスの式により算出される沈降速度が３．９×１０-7ｃｍ／ｓｅｃ以下である請求項１記載のインクジェット記録用インク。
【数１】
2008088270.tif 000005
（式中、Ｖ：着色粒子の沈降速度（ｃｍ/ｓｅｃ）
ｒ：着色粒子の体積平均径／２（ｃｍ）
ρ：着色粒子の密度(ｇ/ｃｍ3)
ρw：インク溶媒の密度（ｇ/ｃｍ3）
ｇ：重力の加速度（ｃｍ/ｓｅｃ2）
η：インク溶媒の粘度（ｇ/（ｃｍ・ｓｅｃ））
【請求項３】
着色粒子の密度が、１〜１．２ｇ／ｃｍ3である請求項１又は２記載のインクジェット記録用インク。
【請求項４】
粒径０．５μｍ以下の着色粒子が、着色粒子全体の５vol％以下である請求項１〜３のいずれかに記載のインクジェット記録用インク。
【発明の詳細な説明】
【技術分野】
【０００１】
本発明は、着色剤として着色粒子を使用したイクジェット記録用インクに関する。
【背景技術】
【０００２】
インクジェット記録用インクとしては、水及び水溶性有機溶媒からなるインク溶媒に染料を溶解した染料インクが広く使用されているが、染料インクは印字物に滲みが生じ易い。これに対し、着色剤として、体積平均径が０．０１〜２０μｍ程度の着色粒子を使用した、所謂粒子インクが提案されている（特許文献１、特許文献２）。
【０００３】
【特許文献１】特開平４−１８５６７２号公報
【特許文献２】特開平８−９２５１３号公報
【発明の開示】
【発明が解決しようとする課題】
【０００４】
粒子インクでは、着色粒子とインク溶媒との分離を防止するために、インク溶媒と着色粒子の比重を一致させることが望ましく、密度調整剤が用いられる。密度調整剤を用いると、理論上は、インク溶媒と着色粒子との密度を一致させることができる。しかしながら、インク溶媒調製時の計量誤差、温度変化等により数％程度の密度差が生じる。
【０００５】
この密度差は、粒径が大きいほど粒子の沈降又は浮上速度に大きく影響する。従来使用されている着色粒子は粒径分布がブロードであるため、大きな粒子がインクの保存安定性に悪影響を及ぼす。さらに、粒径がノズル径の１／５〜１／３程度以上の大きな粒子となると、一時的にノズルが閉塞するという問題も生じさせる。一方、サブミクロンオーダーの比較的小さな粒子は、インク滴が紙面に着弾した後、インク溶媒と共に紙繊維の間隙に入り込んでしまう。このため、滲みが肉眼で識別でき、画線部のエッジが崩れるという問題を引き起こす。
【０００６】
このような問題に対し、本発明は、着色剤として着色粒子を用いたインクジェット記録用インクにおいて、印字物に滲みを生じさせず、かつ吐出安定性と保存安定性を向上させることを目的とする。
【課題を解決するための手段】
【０００７】
本発明者は、特定の粒径分布を有する着色粒子を使用すると、滲みを生じさせず、かつ吐出安定性と保存安定性の向上したインクジェット記録用インクを得られることを見出した。
【０００８】
即ち、本発明は、水、水溶性有機溶媒及び着色粒子を含有するインクジェット記録用インクであって、着色粒子の体積平均径が１〜５μｍであり、
着色粒子中、体積平均径の１．５倍以上の粒径の粒子が５vol％以下であるインクジェット記録用インクを提供する。
【発明の効果】
【０００９】
本発明のインクジェット記録用インクによれば、着色粒子が特定の粒径分布を有するので、印字物に滲みがなく、シャープなエッジを有し、ブリードを防止することができる。
【００１０】
さらに、吐出安定性にも優れ、インク滴の不吐出による印字の「抜け」や、インク吐出時にインクジェットノズルでメニスカスが歪んで形成されたことによって、吐出方向がずれることによる「ヨレ」の発生を防止できる。
【００１１】
また、インク中で沈降又は浮上する着色粒子が実質的に存在せず、保存安定性に優れている。
【発明を実施するための最良の形態】
【００１２】
以下、本発明を詳細に説明する。
【００１３】
本発明のインクジェット記録用インクは、着色剤として着色粒子を含有する。本発明では、この着色粒子として、体積平均径が１〜５μｍの粒子を使用する。
【００１４】
体積平均径が１μｍ以上の着色粒子を使用することにより、紙面等の被記録面に着弾された着色粒子が、インク溶媒と共に被記録面に浸透することなく、紙繊維や充填剤に引っかかるので、画像の滲みが生じず、シャープなエッジを有し、ブリードも防止された印字物を得ることが可能となる。一方、着色粒子の体積平均径を５μｍ以下とすることにより、インクジェットノズルからの吐出安定性を確保することができる。特に、体積平均径は、インクジェットノズル径の２０％以下とすることが吐出安定性を向上させる点から好ましい。
【００１５】
また、本発明では、着色粒子として、体積平均径の１．５倍以上の粒径の粒子が着色粒子全体の５vol％以下に粒径制御されたものを使用する。体積平均径の１．５倍以上の粒径の粒子が５vol％以下、好ましくは４．５vol％以下とし、粒径を揃えることで、僅かな温度変化によりインク溶媒と着色粒子との間に密度差が生じても、吐出安定性を高く維持することができる。また、このように粒径を揃えると、分離速度の速い粗大粒子数が極度に少なくなることから、インク全体としての保存安定性も向上する。
【００１６】
なお、着色粒子の粒径分布は、シャープであるほど、理論上は、吐出安定性や保存安定性が向上する。即ち、インク滴を安定して吐出させるためには、図１（ａ）に示すように、インクジェットノズル１のノズル端面でのインク２のメニスカス３が、ノズル中心から深さ方向へ引いた直線を含む断面において左右線対称であることが必要である。これに対し、同図（ｂ）に示すように、着色粒子４の粒径分布のばらつきが大きいと、インク滴吐出直後のメニスカス３表面に存在する着色粒子４の体積のばらつきも大きくなり、その結果、メニスカス３表面の慣性力が場所によって相違し、メニスカス３が左右線対称に形成されなくなる。このメニスカスは、吐出時の振動で一層歪み、インク滴が被記録面にまっすぐ着弾せずに、ヨレてしまったり、複数のインク滴に分かれてしまったりする。
【００１７】
一方、過度に粒径分布をシャープにすると、インクとしての性能に問題は生じないものの、生産コストが極端に上昇するため好ましくない。
【００１８】
さらに、体積平均径の１／２以下の粒径を有する着色粒子の、着色粒子全体に対する割合は、粒子全体に対する体積％が充分に小さくなると、メニスカス表面に存在しても、メニスカス表面における体積も充分小さいこと等から問題にならない。ただし、粒径０．５μｍ以下の着色粒子は着色粒子の５vol％以下とし、より好ましくは３vol％以下とする。これにより、印字物の滲みを防止することができる。
【００１９】
着色粒子の密度は、１〜１．２ｇ／ｃｍ3とすることが好ましく、より好ましくは１．０５〜１．１５ｇ／ｃｍ3とする。これにより、着色粒子と溶媒の密度差の温度依存量を少なくすることができる。即ち、着色粒子の沈降又は浮上を防止するため、着色粒子の密度は、インク溶媒の密度と同一であることが望ましく、必要に応じて密度調整剤が使用されるが、着色粒子もインク溶媒もそれぞれ別個に密度が変化する。そこで、通常溶媒の密度は１．１ｇ／ｃｍ3程度であるため、この密度に着色粒子の密度を近づけ、密度調整剤の使用量を低減し、さらに、温度変化による密度差も大きくならないようにするため、上述の範囲とすることが好ましい。
【００２０】
以上のような粒径分布と密度を有する着色粒子は、このような粒径分布を有する樹脂粒子を着色剤で着色することにより得ることができる。
【００２１】
ここで、着色剤としては、発色性及び色再現性の点から、顔料よりも染料を使用することが好ましい。
【００２２】
染料としては、直接染料、酸性染料、分散染料、カチオン染料、反応染料、硫化染料、油溶染料及び金属錯塩染料等を用いることができ、特に、分散染料およびカチオン染料が好ましい。
【００２３】
また、染料で樹脂粒子を着色する方法としては、例えば、４０℃〜１２０℃に加温した染料溶液に、樹脂粒子を分散して一定時間攪拌することで、着色が可能である。なお、樹脂粒子を染料で着色した後、樹脂粒子の表面に析出した余分な染料を除去するために、還元洗浄を行う。この還元洗浄に使用する溶媒としては、水酸化ナトリウムやハイドロキシサルファイト等を溶解させた水溶液を使用する。
【００２４】
一方、樹脂粒子としては、例えば、溶媒中に、単量体、分散剤及び開始剤等を入れ、所定の条件で開始剤をラジカル化させ、ラジカルによって溶媒中で単量体を重合反応させる分散重合法により得ることができる。分散重合法は、特開２００４−３２６０２９号公報等に記載のトナー組成物で用いる樹脂粒子の製造と同様に行うことができるが、本発明においては、分散重合の反応系の各成分の種類、量、ＳＰ値（溶解度パラメータ）、反応温度及び反応時間等を適宜制御することにより、上述のように粒径の制御された樹脂粒子を得、それを用いる。より具体的には、スチレンベースの単量体に対するアクリル量が３０ｗｔ％以下、好ましくは２０ｗｔ％以下、開始剤量が単量体の１０ｗｔ％以下、好ましくは６ｗｔ％以下、溶媒に対する単量体量が４０ｗｔ％以下、好ましくは３０ｗｔ％以下、溶媒系のＳＰ値が１２〜１５（ｃａｌ／ｃｍ3）1/2、好ましくは１３〜１４．５（ｃａｌ／ｃｍ3）1/2、反応温度が５０〜６３℃、好ましくは５５〜６０℃である。
【００２５】
インクジェット記録用インク中における着色粒子の含有量は、インク全量に対して２〜７重量％とすることが好ましい。
【００２６】
本発明のインクジェット記録用インクは、着色粒子の他、水、水溶性有機溶媒及び必要に応じて密度調整剤、粘度調整剤、分散剤、界面活性剤、ｐＨ調整剤及び防腐剤等の添加剤を含有する。
【００２７】
水としては、イオン交換水又は純水が好ましい。インクジェット記録用インクにおける水の含有量は、５０〜８０重量％とすることが好ましい。
【００２８】
水溶性有機溶媒としては、主としてインクジェットノズル先端部におけるインクの乾燥を防止する湿潤剤と、主として紙面上での乾燥速度を高める浸透剤を含有することが好ましい。
【００２９】
湿潤剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；１，３−ブタンジオール、１，５−ペンタンジオール、１，６−ヘキサンジオール、グリセリン、１，２，６−ヘキサントリオール、１，２，４−ブタントリオール、１，２，３−ブタントリオール、ペトリオール等の多価アルコール類；エチレングリコール、ジエチレングリコール、トリエチレングリコール、プロピレングリコール、ジプロピレングリコール、トリプロピレングリコール、ブチレングリコール、チオジグリコール、ヘキシレングリコール等のアルキレングリコール；ポリエチレングリコール、ポリプロピレングリコール等のポリアルキレングリコール；ホルムアミド、Ｎ−メチルホルムアミド、Ｎ，Ｎ−ジメチルホルムアミド、ジメチルアセトアミド等のアミド；モノエタノールアミン、ジエタノールアミン、トリエタノールアミン、モノエチルアミン、ジエチルアミン、トリエチルアミン等のアミン；アセトン、ジアセトンアルコール等のケトン又はケトアルコール；テトラヒドロフラン、ジオキサン等のエーテル；２−ピロリドン、Ｎ−メチル−２−ピロリドン、Ｎ−ヒドロキシエチル−２−ピロリドン等；１，３−ジメチルイミダゾリジノン、ε−カプロラクタム等の含窒素複素環化合物；ジメチルスルホキシド、スルホラン、チオジエタノール等の含硫黄化合物等が挙げられる。中でも、アルキレングリコール、グリセリン等の多価アルコールが好ましい。
【００３０】
これらの湿潤剤は、単独又は２種類以上を混合して用いることができる。また、インクにおける湿潤剤の含有量は、一般的には０〜９５重量％、好ましくは１０〜８０重量％、より好ましくは１０〜５０重量％である。
【００３１】
浸透剤としては、例えば、エチレングリコールメチルエーテル、エチレングリコールエチルエーテル、エチレングリコールプロピルエーテル、エチレングリコールブチルエーテル、ジエチレングリコールメチルエーテル、ジエチレングリコールエチルエーテル、ジエチレングリコールプロピルエーテル、ジエチレングリコールブチルエーテル、ジエチレングリコールジメチルエーテル、ジエチレングリコールジエチルエーテル、ジエチレングリコールジプロピルエーテル、ジエチレングリコールジブチルエーテル、トリエチレングリコールメチルエーテル、トリエチレングリコールエチルエーテル、トリエチレングリコールプロピルエーテル、トリエチレングリコールブチルエーテル、トリエチレングリコールジメチルエーテル、トリエチレングリコールジエチルエーテル、トリエチレングリコールジプロピルエーテル、トリエチレングリコールジブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、ジプロピレングリコールジメチルエーテル、ジプロピレングリコールジエチルエーテル、ジプロピレングリコールジプロピルエーテル、ジプロピレングリコールジブチルエーテル、トリプロピレングリコールメチルエーテル、トリプロピレングリコールエチルエーテル、トリプロピレングリコールプロピルエーテル、トリプロピレングリコールブチルエーテル、トリプロピレングリコールジメチルエーテル、トリプロピレングリコールジエチルエーテル、トリプロピレングリコールジプロピルエーテル、トリプロピレングリコールジブチルエーテル等が挙げられる。また、エタノールやプロパノール等のアルコールも使用できる。
【００３２】
これらの浸透剤は、単独又は２種類以上を混合して用いることができる。また、インクにおける浸透剤の含有量は、一般的には０〜２０重量％、好ましくは０．１〜１５重量％、より好ましくは１〜１０重量％である。
【００３３】
密度調整剤としては、ヨウ化ナトリウム、ヨウ化カリウム、硫酸ナトリウム、炭酸ナトリウム、臭化カリウム等の一価の陽イオンに解離する電解質等を使用することができる。
【００３４】
粘度調整剤としては、澱粉、アラビアゴム、トラガカントゴム、アルギン酸ナトリウム、ガゼイン、デキストリン水和物、メチルセルロース、ポリビニルアルコール、ポリアクリル酸等を使用することができる。
【００３５】
分散剤としては、ポリビニルピロリドン、ポリアクリル酸、1−ヘキサデカノール等の高分子等を使用することができる。
【００３６】
界面活性剤としては、例えば、エマール、ラテムル、レベノール、ネオペレックス、エレクトロストリッパー、ＮＳソープ、ＫＳソープ、ＯＳソープ、ペレックス、アンヒトール（以上、花王（株）製）、リポラン、Ｋリポラン、ライポン、サンノール、リポタックＴＥ、エナジコール、リパール、リオノール、ロータット（以上、ライオン（株）製等のアニオン性界面活性剤；エマルゲン、レオドール、レオドールスーパー、エマゾール、エマゾールスーパー、エキセル、エマノーン、アミート、アミノーン（以上、花王（株）製）、ドバノックス、レオコール、レオックス、ラオール、レオコン、ライオノール、カデナックス、リオノン、レオファット、エソファット、エソミン、エソデュオミン、エソマイド、アロモックス（以上、花王（株）製）等の非イオン性界面活性剤等が例示できるが、特にこれに限定されるものではなく、これらの界面活性剤を単独で用いてもよいし、２種類以上混合して用いることも可能である。
【００３７】
ｐＨ調整剤としては、モノエタノールアミン、トリエタノールアミン等のアミン；水酸化カリウム、水酸化ナトリウム、水酸化リチウム等の水酸化物等を使用することができる。
【００３８】
本発明においては、インク着色粒子の沈降又は浮上を防止し、インクの保存安定性を向上させるため、次のストークスの式で算出される沈降速度が、３．９×１０-7ｃｍ／ｓｅｃ（１０ｍｍ／ｍｏｎｔｈ）以下となるようにインク組成を調整することが好ましい。
【００３９】
【数１】
2008088270.tif 000002
（式中、Ｖ：着色粒子の沈降速度（ｃｍ/ｓｅｃ）
ｒ：着色粒子の体積平均径／２（ｃｍ）
ρ：着色粒子の密度(ｇ/ｃｍ3)
ρw：インク溶媒の密度（ｇ/ｃｍ3）
ｇ：重力の加速度（ｃｍ/ｓｅｃ2）
η：インク溶媒の粘度（ｇ/（ｃｍ・ｓｅｃ））
【００４０】
ここで、インク溶媒の粘度ηは、吐出安定性と紙面への浸透性の点から０．０２〜０．０８ｇ／（ｃｍ・ｓｅｃ）に調整することが好ましく、また、着色粒子の半径は、前述のように体積平均径で１〜５μｍとする。したがって、この式で算出される沈降速度が１０ｍｍ／ｍｏｎｔｈ（３．９×１０-7ｃｍ／ｓｅｃ）となるようにするには、インク溶媒の密度ρwと着色粒子の密度ρとの差が０．０２ｇ/ｃｍ3以下、好ましくは０.００５ｇ/ｃｍ3以下となるように、添加剤を含めたインク溶媒の組成を調整することが好ましく、通常、ヨウ化ナトリウム、ヨウ化カリウム、硫酸ナトリウム、炭酸ナトリウム及び臭化カリウム等の密度調整剤の含有量を３０ｗｔ％以下の範囲で適宜調整する。
【００４１】
本発明のインクジェット記録用インクは、常法にしたがって上述の各成分を混合、撹拌することにより製造することができる。
【実施例】
【００４２】
以下、実施例に基づいて本発明を具体的に説明する。
【００４３】
実施例１〜４及び比較例１〜４
（１）重合粒子の製造
表１の組成の重合粒子を、分散重合法で次のように重合した。
【００４４】
攪拌機、冷却管、温度計及びガス導入管を取り付けた反応装置に、ガス導入管から窒素ガスを導入しながら、表１の樹脂粒子仕込組成の各成分を反応装置に入れ、反応液を６０℃に昇温して１００ｒｐｍで撹拌し、表１の重合時間重合した。さらに、表１に記載のように、重合開始後所定時間で希釈剤及び架橋剤溶媒を添加して重合を続けた。その後、冷却して重合反応を停止させた。反応装置から重合粒子を濾別回収し、水−メタノール混合液で洗浄し、室温で４８時間放置して乾燥させ、重合粒子を得た。
【００４５】
（２）着色樹脂粒子の製造
（１）で得た重合粒子を次のようにして着色した。
【００４６】
攪拌機、冷却管及び温度計を取り付けた反応装置に、イオン交換水１００重量部、（１）で製造した重合粒子１００重量部及び染料としてKayalon Polyester Black S-200（日本化薬（株）製）２０重量部を入れ、これらの混合液を９５℃に昇温して１５０ｒｐｍで１時間撹拌した。得られた着色樹脂粒子を、濾別回収し、着色樹脂粒子の表面に残っている余分な染料を取り除くために、イオン交換水１００重量部、ハイドロサルファイトナトリウム０．８重量部及び水酸化ナトリウム０．８重量部の混合液を使用して還元洗浄を行い、室温で４８時間放置して乾燥させ、着色樹脂粒子を得た。
【００４７】
（３）インクの調製
表２のインク組成のうち、着色樹脂粒子（（２）で得たもの）以外の成分をよく混合し、その後、超音波をあてながら着色樹脂粒子を徐々に加えてよく撹拌し、インクを得た。
【００４８】
（４）評価
（ａ）着色樹脂粒子の体積平均径及び粒径分布
得られた着色樹脂粒子の体積平均径及び粒径分布を、粒度分布測定装置（マルチサイザーII；ベックマン・コールター社製）により測定した（測定個数：５００００個）。ただし、体積平均径が１μｍ以下の粒子のみ、日機装（株）製マイクロトラックＵＰＡを使用して測定した。なお、体積平均径の１.５倍以上の粒径の粒子割合は、粒度分布計の各粒径のvol％一覧表より算出可能である。
【００４９】
（ｂ）着色樹脂粒子とインク溶媒の密度
着色樹脂の密度をマイクロピクノメータ真密度測定装置（ユアサアイオニクス（株）製）により測定した。
【００５０】
また、インク溶媒（着色樹脂粒子を除くインク成分）の密度を密度比重計（ＤＡ−１００；京都電子工業（株）製）により測定した。
【００５１】
（ｃ）インク溶媒の粘度
インク溶媒（着色樹脂粒子を除くインク成分）の粘度をブルックフィールド粘度計（ＤＶII＋；ブルックフィールド製）により測定した。
【００５２】
（ｄ）着色樹脂粒子の沈降速度
（３）で得たインクの体積平均粒子径の着色樹脂粒子について、前述のストークスの式で算出される着色樹脂粒子の沈降速度を算出した。
【００５３】
（ｄ）保存安定性評価
（３）で得たインクを内径４７ｍｍの瓶に１００ｃｃ取り分け（深さ約６ｃｍになる）、３０℃で１ヶ月放置後、瓶内のインクの上部からインクをサンプリングして、紫外可視分光光度計（ＵＶ−２４５０；（株）島津製作所製）を用いて、吸光度（λ＝５００ｎｍ）を測定し、以下の基準に基づき４段階に評価した。
ＡＡ：保存前の９０％以上１００％以下
Ａ  ：保存前の８０％以上９０％未満
Ｂ  ：保存前の６０％以上８０％未満
Ｃ  ：保存前の６０％未満
【００５４】
（ｅ）印字評価
（３）で得たインクをインクジェットプリンタ搭載デジタル複合機（ＭＦＣ−３１００Ｃ；ブラザー工業（株）製）のカートリッジに分注（フォーム無し）し、同プリンタを使用して印字品質評価パターンを印字し、そのラインエッジとブリード（黄色地に黒インクを印字）を以下の基準に基づき評価した。
ＡＡ：抜けや滲みがなく、ラインエッジがシャープであり、ブリードもほとんどない
Ａ  ：若干の抜けや滲みが認められるが、ラインエッジは顔料インクよりシャープ、かつブリードも一般的な顔料インクよりも良い
Ｂ  ：顔料インクと同等レベルのラインエッジおよびブリードである
Ｃ  ：染料インクと同等以下のラインエッジ及びブリード、又は画線部の抜けが目立つ
【００５５】
以上の評価結果を表２に示す。
表１及び表２から、着色樹脂粒子の体積平均径が１〜５μｍであり、着色樹脂粒子中、体積平均径の１．５倍以上の粒径の粒子が５vol％以下である着色樹脂粒子Ｎｏ．１〜４を用いた実施例１〜４のインクによれば、保存安定性評価と印字評価のいずれも優れている。これに対し、着色樹脂粒子中、体積平均径の１．５倍以上の粒径の粒子が５vol％以下ではあるが、その体積平均径が１μｍに満たない着色樹脂粒子Ｎｏ．５を用いた比較例１のインクは印字評価が劣っており、着色樹脂粒子の体積平均径は１〜５μｍであるが、着色樹脂粒子中、体積平均径の１．５倍以上の粒径の粒子が５vol％を超えている着色樹脂粒子Ｎｏ．６〜８を用いた比較例２〜４のインクは保存安定性評価が劣っていることがわかる。
【００５６】
【表１】
2008088270.tif 000003
【００５７】
【表２】
2008088270.tif 000004
【産業上の利用可能性】
【００５８】
本発明のインクジェット記録用インクは、インクジェットプリンタによる印刷に広く使用することができ、通常のテキストドキュメントの他、特に画像のシャープさやブリードの防止が必要とされるグラフィック印刷や、速乾性が求められる高速プリンタ等でも有用となる。
【図面の簡単な説明】
【００５９】
【図１】インクジェットノズルにおけるメニスカスの説明図である。
【符号の説明】
【００６０】
１    インクジェットノズル
２    インク
３    メニスカス
４    着色粒子
【図１】
2008088270.tif 000006